(57)【要約】【課題】伸縮体を伸ばすのに要する必要呼気力を容易に変更可能な吹き戻しを提供する。【解決手段】吹き戻し１は、健康促進や治療、美容などの目的に利用可能なものであり、筒状で変形自在な袋状部で空気が吹き込まれて膨らむ伸縮体２と、伸縮体２が膨らむと真っ直ぐに伸び、膨らませる外力を解除すると伸縮体２が渦巻状に戻ろうとする弾性力を有する線状態３と、吹き戻し１を把持する箇所である専管体４と、使用者が口にくわえて空気を吹き込む口吹体５とを備えている。線状体３は、弾性を有し伸縮体２の長手方向に沿って真っ直ぐに配設された線材３１，３２，３３により構成され、線材３１，３２，３３の本数を変更するとそれに略比例して線状体３の弾性力を変化させることができる。【選択図】  図１
2018134178.tif 000002
【特許請求の範囲】
【請求項１】
筒状で変形自在な伸縮体と、
弾性を有し前記伸縮体の長手方向に沿って配設された線状体と、
筒状で前記伸縮体の一端部に接続された専管体と、
筒状で前記専管体の反伸縮体側の端部に接続され、使用者がくわえて空気を吹き込む口吹体と、を備え、
前記口吹体から空気を吹き込むと前記伸縮体が伸び、空気を吹き込まない状態では、前記線状体の弾性力によって前記伸縮体が渦巻状に巻かれる吹き戻しであって、
前記伸縮体は、略四角形のシート状の第１の素材と、帯状の第２の素材とから構成され、前記第１の素材の前記伸縮体の幅方向に対する一端部が上側に位置するように該一端部と他端部とを重ねて筒状とされ、前記一端部と前記他端部とが重なる重なり部の表面側に前記線状体が配置された状態で、前記第２の素材が前記重なり部の表面側を覆うようにして前記第１の素材に接続されることで、前記線状体が前記伸縮体に対して一体化して配設され、
前記重なり部は、想定される最大配設数の前記線状体を所定の間隔以上で配設できるような幅に設定され、
前記伸縮体を伸ばすのに要する必要呼気力に応じた数の前記線状体が、前記所定の間隔以上で並列に配設されている、
ことを特徴とする吹き戻し。
【発明の詳細な説明】
【技術分野】
【０００１】
この発明は、吹き戻しに関し、特に、健康促進や治療、美容などの目的に利用可能な吹き戻しに関する。
【背景技術】
【０００２】
吹き戻しは、古くから吹き戻し玩具として知られている。この吹き戻しは、筒状の伸縮体（袋状部）の長手方向に沿って針金のように弾性を有する線状体が配設され、伸縮体の一端部から空気を吹き込むと伸縮体が伸び、空気を吹き込まない状態では、線状体の弾性力によって伸縮体が渦巻状に巻かれるものである。
【０００３】
このような吹き戻しは、従来、主に子供の玩具として使用されていたが、健康促進や治療、美容などの目的で呼吸訓練を行うために利用可能な吹き戻しが知られている（例えば、特許文献１参照。）。この吹き戻しは、抗菌性の柔軟材料から形成されたマウスピースを吹き込み部に着脱自在に備えることで、長期間の繰り返し使用によっても衛生状態を良好に保ち得るものであり、これにより健康促進や治療、美容などの目的で呼吸訓練を行うために利用可能とするものである。
【０００４】
このような呼吸訓練は、例えば、医療分野においては、小児ぜんそくの予防や、肺がん患者、外科手術を受ける患者で術前術後の麻酔により呼吸機能が低下した患者、ＰＭ２．５等の環境汚染による慢性閉塞性肺疾患（ＣＯＰＤ）等の呼吸機能障害患者等に対して行われるものである。また、介護分野においては、高齢者や障害者による食事中の誤嚥防止または摂食嚥下リハビリテーションのために行われる。美容分野においては、頬の筋肉を鍛えることによりほうれい線の発生を防止するために行われる。音楽分野においては、声楽家による呼吸法、発声法の訓練のために行われる。スポーツ分野においては、スポーツ吹き矢等、息を吹く力を上昇するために行われるものである。
【先行技術文献】
【特許文献】
【０００５】
【特許文献１】実用新案登録第３１３７９４４号公報
【発明の概要】
【発明が解決しようとする課題】
【０００６】
ところで、健康促進や治療等の目的に利用可能な吹き戻しは、伸縮体を伸ばすのに要する吹く力（必要呼気力）に応じて複数のものが市販されているが、特に呼吸器疾患等の患者が治療のために吹き戻しを使用する場合は、その症状に応じて適した必要呼気力の吹き戻しを使用する必要がある。そのような吹き戻しを提供するためには、必要呼気力が主として伸縮体の長手方向に沿って配設された線状体の弾性力に依存することから、伸縮体に配設する線状体を、健康促進や治療等の使用目的に応じた適切な弾性力に設定する必要がある。しかしながら、吹き戻しの製造毎に異なる線状体を伸縮体に配設したり、伸縮体の大きさを変更したりするのは、多大な時間と労力を必要としていた。
【０００７】
そこでこの発明は、必要呼気力を容易に変更可能な吹き戻しを提供することを目的とする。
【課題を解決するための手段】
【０００８】
上記課題を解決するために、請求項１の発明は、筒状で変形自在な伸縮体と、弾性を有し前記伸縮体の長手方向に沿って配設された線状体と、筒状で前記伸縮体の一端部に接続された専管体と、筒状で前記専管体の反伸縮体側の端部に接続され、使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、前記伸縮体は、略四角形のシート状の第１の素材と、帯状の第２の素材とから構成され、前記第１の素材の前記伸縮体の幅方向に対する一端部が上側に位置するように該一端部と他端部とを重ねて筒状とされ、前記一端部と前記他端部とが重なる重なり部の表面側に前記線状体が配置された状態で、前記第２の素材が前記重なり部の表面側を覆うようにして前記第１の素材に接続されることで、前記線状体が前記伸縮体に対して一体化して配設され、前記重なり部は、想定される最大配設数の前記線状体を所定の間隔以上で配設できるような幅に設定され、前記伸縮体を伸ばすのに要する必要呼気力に応じた数の前記線状体が、前記所定の間隔以上で並列に配設されている、ことを特徴とする。
【発明の効果】
【０００９】
請求項１の発明によれば、吹き戻しの伸縮体は、略四角形のシート状の第１の素材と、帯状の第２の素材とから構成され、第１の素材の伸縮体の幅方向に対する一端部が上側に位置するように該一端部と他端部とを重ねて筒状とされ、一端部と他端部とが重なる重なり部の表面側に線状体が配置されている。この重なり部は、想定される最大配設数の線状体を所定の間隔以上で配設できるような幅に設定され、伸縮体を伸ばすのに要する必要呼気力に応じた数の線状体が所定の間隔以上で並列に配設されている。これにより、重なり部の幅を変更することなく、必要呼気力に応じた数の線状体を所定の間隔で配設することができるので、線状体の配設数を変更するだけで、吹き戻しの必要呼気力を容易に変更することが可能になる。
【図面の簡単な説明】
【００１０】
【図１】この発明の実施の形態に係る吹き戻し１を示す斜視図である。
【図２】図１の吹き戻し１の伸縮体２が伸びた状態を示す平面図である。
【図３】図２のＡ−Ａ線を示す拡大断面図である。
【図４】線状体３の配設数を２本にした場合における、図２のＡ−Ａ線を示す拡大断面図である。
【図５】線状体３の配設数を１本にした場合における、図２のＡ−Ａ線を示す拡大断面図である。
【発明を実施するための形態】
【００１１】
以下、この発明を図示の実施の形態に基づいて説明する。
【００１２】
図１ないし図５は、この実施の形態を示し、図１は、この実施の形態に係る吹き戻し１を示す斜視図であり、図２は、図１の吹き戻し１の伸縮体２が伸びた状態を示す平面図である。この吹き戻し１は、特に、健康促進や治療、美容などの目的に利用可能な吹き戻しであり、主として、伸縮体２と、線状体３と、専管体４と、口吹体５と、を備えている。また、この吹き戻し１には、使用目的や使用者状況などに応じて、後述する伸縮体２を伸ばすのに要する吹く力（必要呼気力）が設定されており、異なる必要呼気力が設定されている複数種類（例えば、３種類）の吹き戻し１がある。
【００１３】
伸縮体２は、筒状で変形自在な袋状部であり、所定の厚み、強度、密度（単位面積当たりの重量）、耐久性などの材質（特性）を有する紙材が、後述する下部帯紙（第１の素材）２１、及び上部帯紙（第２の素材）２２として構成され、その外径が専管体４の一端の内径よりもやや大きくなるように設定されている。この伸縮体２は、図２に示すように、空気が吹き込まれると伸びた状態になり、空気を吹き込まない状態では線状体３の弾性力によって渦巻状に巻かれる部材である。これは、伸縮体２が袋状に形成され、空気が吹き込まれると膨らんで断面が略円形となるためである。
【００１４】
伸縮体２の長さは、健康促進や治療、美容等の目的（吹き戻し１の使用目的）や、使用者の口腔機能状態や体調等の使用者状況などに応じて設定されている。すなわち、伸縮体２を伸ばすのに要する空気量が、目的や使用者状況などに応じて予め設定された適正空気量になるように、伸縮体２の長さが設定されている。
【００１５】
線状体３は、弾性を有し伸縮体２の長手方向に沿って真っ直ぐに配設された線材、例えば、ステンレス製の針金で形成された複数（例えば、３本）の線材３１，３２，３３により構成されている。伸縮体２に外力を加えない状態（伸縮体２に空気を吹き込まない状態）では、図１に示すように、線状体３の弾性力により渦巻状・コイル状に巻かれた状態であり、伸縮体２に外力を加える（伸縮体２に空気が吹き込まれる）と、図２に示すように真っ直ぐに伸び、この外力を解除すると、伸縮体２が渦巻状に戻ろうとする弾性力が線状体３によって作用するものであり、その弾性力（弾性係数）は、所定の値に設定されている。
【００１６】
線状体３の弾性力は、伸縮体２を伸ばすのに要する必要呼気力が吹き戻し１の使用目的や使用者状況などに応じて設定された適正値になるように、換言すると、口吹体５から空気を吹き込む必要呼気力が適正値（所定値）以上でないと、伸縮体２が伸びないように、弾性力が所定値に設定されている。
【００１７】
また、口吹体５から空気を吹き込む必要呼気力は、健康促進や治療等の目的に応じた適正値（所定値）である必要がある。そのため、前述のように必要呼気力に応じて複数種類（例えば、３種類）の吹き戻し１が提供されている。この３種類の吹き戻し１は、線状体３の本数のみが異なるものであり、例えば、線材が１本の場合は必要呼気力が最も少ない（レベル１）ものであり、線状体が２本の場合は必要呼気力が中間（レベル２）のものであり、線状体が３本の場合は必要呼気力が最も大きい（レベル３）ものである。
【００１８】
専管体４は、使用者が吹き戻し１を把持する箇所であり、一端が伸縮体２の一端に接続され、所定の材質を有する厚い紙材で略円筒状に形成された円筒体である。この専管体４には、図２に示すように、その一端部が伸縮体２の一端部内に挿入されて、ビニルテープ等で接続されている。この専管体４の内径と長さは、使用者が容易に持つことができ、かつ、口吹体５から伸縮体２に空気を吹き込みやすいように設定されている。
【００１９】
口吹体５は、使用者が口にくわえて空気を吹き込む箇所であり、略円筒状で専管体４の他端側に接続されている。この口吹体５は、例えば、プラスチック樹脂等により形成されている。なお、口吹体５には、例えば、使用者のくわえ心地を良好にして長期間繰り返し使用しても衛生状態を良好に維持するためのマウスピースが装着自在となっている。
【００２０】
図３は、図２のＡ−Ａ線を示す拡大断面図である。伸縮体２と線材３１，３２，３３との配置関係について、図３を用いて説明する。伸縮体２は、図３に示すように、下部帯紙（第１の素材）２１と、上部帯紙（第２の素材）２２とにより構成されている。下部帯紙２１は、上部帯紙２２より幅が太い略四角形のシート状の紙材であり、伸縮体２の幅方向に対する一端部２１ａ（例えば、図３に示す左側）が上側に、他端部２１ｂ（例えば、図３に示す右側）が下側に位置するように、一端部２１ａと他端部２１ｂとが折り曲げられて帯状の筒状になるように折り畳まれている。そして、一端部２１ａと他端部２１ｂとが折り畳まれた時に、所定の幅Ｗを有する重なり部２１ｃが生じるようになっている。この所定の幅Ｗは、伸縮体２を伸ばすのに要する必要呼気力に対応する線材３１，３２，３３を配設可能な幅になっている。そのため、下部帯紙２１の幅は、空気が吹き込まれていない時の伸縮体２の幅の２倍と、線材３１，３２，３３を配設可能な重なり部２１ｃの幅Ｗとの和に略等しくなるように設定されている。上部帯紙２２は、略方形の帯状の紙材であり、空気が吹き込まれていない時の伸縮体２の幅と略等しい幅に設定されている。
【００２１】
そして、折り畳まれた下部帯紙２１の重なり部２１ｃの表面側と上部帯紙２２との間には、線材３１，３２，３３が所定の間隔で配設され、下部帯紙２１の重なり部２１ｃの表面側と上部帯紙２２とが接着剤等により貼付されて一体化している。これにより、下部帯紙２１の強度が強い箇所に線材３１，３２，３３が配設されるので、下部帯紙２１の破損を防止し、線材３１，３２，３３の弾性力を伸縮体２へ伝達させることができる。この線材３１，３２，３３が配設されている所定の間隔は、下部帯紙２１の重なり部２１ｃの表面側と上部帯紙２２との間に接着剤等を塗布して互いに貼付したときに、線材３１，３２，３３が動かずに固定されるために必要な幅である。また、重なり部２１ｃの幅Ｗは、この吹き戻し１に配設される最大配設数（例えば、３本）の線状体３を、上記のように各線材が動かずに固定されるために必要な所定の幅以上になるように決定されている。このように、線材３１，３２，３３が所定の間隔で配設され、下部帯紙２１の重なり部２１ｃの表面側と上部帯紙２２との間に強固に一体化して配設されることにより、伸縮体２を伸ばすのに要する必要呼気力を伸縮体３に対して精度高く伝達させることができる。
【００２２】
また、伸縮体２を伸ばすのに要する必要呼気力は、主として線材３１，３２，３３の弾性力に依存することから、線材３１，３２，３３の本数を変更するとそれに略比例して線状体３の弾性力を変化させることができる。例えば、図４は、線状体３の配設数を２本にした場合における、図２のＡ−Ａ線を示す拡大断面図である。このとき、図４に示すように、線材３１，３３を重なり部２１ｃの両端に配設することにより、下部帯紙２１の重なり部２１ｃの表面側と上部帯紙２２とが接着剤等により貼付されて一体化し、線材３１，３３の弾性力を伸縮体２に対して精度高く伝達させることができる。
【００２３】
さらに、図５は、線状体３の配設数を１本にした場合における、図２のＡ−Ａ線を示す拡大断面図である。このとき、図５に示すように、線材３２を重なり部２１ｃの中央に配設することにより、下部帯紙２１の重なり部２１ｃの表面側と上部帯紙２２とが接着剤等により貼付されて一体化し、線材３２の弾性力を伸縮体２に対して精度高く伝達させることができる。このように、伸縮体２、専管体４の材質、内径、長さなどを考慮した上で、伸縮体２を伸ばすのに要する必要呼気力が使用目的や使用者状況などに応じて設定された適正値になるように、線状体３の最大配設数が設定されている。そして、線状体３の配設数を変更し、線材３１，３２，３３を上記のように配設することにより、吹き戻し１の必要呼気力を容易に変更することを可能にするものである。
【００２４】
このような構成の吹き戻し１では、使用者が口吹体５から空気を吹き込むと、図２に示すように、空気が伸縮体２に流入して伸縮体２が伸び、空気を吹き込まない状態では、図１に示すように、線状体３の弾性力によって伸縮体２が渦巻状に巻き戻る。この際、口吹体５から空気を吹き込む必要呼気力が、目的や使用者状況などに応じて設定された適正値（所定値）以上でないと、伸縮体２が伸び続けていかず、また、目的や使用者状況などに応じて予め設定された空気量だけ吹き込まないと、伸縮体２が最大限まで伸びないように構成されている。従って、このような吹き戻し１を使用して伸縮体２の伸縮（吹き戻し）を繰り返すことで、目的や使用者状況などに応じた適正な必要呼気力での運動、訓練が行えるものである。
【００２５】
以上のように、この吹き戻し１によれば、伸縮体２を構成する下部帯紙２１が伸縮体２の幅方向に対する一端部２１ａが上側に、他端部２１ｂが下側に位置するように、一端部２１ａと他端部２１ｂとが折り曲げられて帯状の筒状になるように折り畳まれ、一端部２１ａと他端部２１ｂとが折り畳まれた時に、所定の幅Ｗを有する重なり部２１ｃが生じるようになっている。この重なり部２１ｃの幅Ｗは、この吹き戻し１に配設される最大配設数の線状体３を、各線材が動かずに固定されるために必要な所定の幅以上になるように決定されている。そして、重なり部２１ｃの表面側と上部帯紙２２との間に、線材３１，３２，３３が所定の間隔で配設され、下部帯紙２１の重なり部の表面側と上部帯紙２２とが接着剤等により貼付されて一体化している。これにより、重なり部２１ｃの幅Ｗを変更することなく、必要呼気力に応じた数の線状体３を所定の間隔以上で配設することができるので、線状体３の配設数を変更するだけで、吹き戻し１の必要呼気力を容易に変更することが可能になる。
【００２６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、下部帯紙２１及び上部帯紙２２を帯状の紙としたが、他の素材でも良い。また、線状体３をステンレス製の針金で構成したが、カーボン樹脂等の他の材質であっても良い。
【００２７】
また、線状体３の最大配設数として３本の線材３１，３２，３３を使用して吹き戻し１を構成したが、最大配設数は２本または４本以上の線状体であっても良い。
【符号の説明】
【００２８】
１                            吹き戻し
２                            伸縮体
２１                          下部帯紙（第１の素材）
２１ａ                        一端部
２１ｂ                        他端部
２１ｃ                        重なり部
２２                          上部帯紙（第２の素材）
３                            線状体
３１，３２，３３              線材
４                            専管体
５                            口吹体
Ｗ                            幅
【図１】
2018134178.tif 000003
【図２】
2018134178.tif 000004
【図３】
2018134178.tif 000005
【図４】
2018134178.tif 000006
【図５】
2018134178.tif 000007